(57)【特許請求の範囲】
【請求項１】
外側生地と内側生地とからなるテントに使用されるテント天頂部の空間拡張装置において；
所定のサイズに切り取られて分離された前記内側生地の天頂部位に縫着される伸縮生地部と、
前記伸縮生地部の中央に縫着される支持環と、
前記伸縮生地部の両側の前記内側生地に一端が各々縫着され、それぞれアイレットを有する固定バンド及び調節バンドと、
中央部が所定の角度に折り曲げられて弾性力を有しており、テントの天頂部を押し上げることができるように前記中央部は前記支持環に挿入され、両端部は挿入管を介して前記固定バンド及び調節バンドのそれぞれのアイレットに嵌合される支持棒と、
一端には前記固定バンドの前記内側生地に縫着されていない他端が固定され、他端には前記調節バンドが、止め位置の調節が可能なように、かつ解けないように連結されるバックルと、
を備えることを特徴とする、テント天頂部の空間拡張装置。
【発明の詳細な説明】
【技術分野】
【０００１】
本発明は、外側生地と内側生地とからなるテントに使用されるテント天頂部の空間拡張装置に関するものである。
【背景技術】
【０００２】
通常、野外キャンプ生活に必須なテントは、防水及び防風などを目的として、外側生地及び内側生地の２重構造になるように製作する。このようなテントは天頂部分が殆ど平面状になっているため、雨天時には天頂部に雨水が溜まり、雪が降る時には天頂部に雪が積もる問題がある。即ち、雨天時にテントの天頂部に雨水が溜まると、テントの生地が水気を吸収しながらへこむ現象が発生する。そして、このへこんだ部位には益々水が溜まるようになる。また、冬季に雪が降ると天頂部に雪が積もり、積もった雪の重さによって天頂部がへこみ、テントが崩壊することも度々発生する。
【０００３】
そのため従来は、テントの天頂部に水が溜まったり雪が積もったりするのを防止するために、長いポールを利用して天頂部を押し上げていた。即ち、テントの内部に長いポールを立て、天頂部を上方に突出させて高くすることによって、天頂部に水が溜まったり雪が積もったりするのを防止できるようになる。
【発明の開示】
【発明が解決しようとする課題】
【０００４】
しかし、このような従来のテントは、長いポールがテントの内部中央に立てられている状態であるため、テント内の生活に多くの制約を与えるようになり、活用できる空間が大きく減少する問題がある。また、長いポールをテントと共に常に携帯しなければならないため、テントの携帯時の重量及び体積が増加する問題もある。
【０００５】
そこで、本発明は、このような問題に鑑みてなされたもので、その目的とするところは、雨天時にテントの天頂部がへこんで水が溜まることを防止し、雪が降っても天頂部に雪が積もらず、雪の重さにより崩壊することがないようにするとともに、テント内部の空間を上方に拡張させて有効に活用できる、テント天頂部の空間拡張装置を提供することである。
【課題を解決するための手段】
【０００６】
上記課題を解決するために、本発明のある観点によれば、外側生地と内側生地とからなるテントに使用されるテント天頂部の空間拡張装置において；所定のサイズに切り取られて分離された内側生地の天頂部位に縫着される伸縮生地部と、伸縮生地部の中央に縫着される支持環と、伸縮生地部を中心とした両側の内側生地に一端が各々縫着され、それぞれアイレットを有する固定バンド及び調節バンドと、中央部が所定の角度に折り曲げられて弾性力を有しており、テントの天頂部を押し上げることができるように中央部は支持環に挿入され、両端部は挿入管を介して固定バンド及び調節バンドのそれぞれのアイレットに嵌合される支持棒と、一端には固定バンドの内側生地に縫着されていない他端が固定され、他端には調節バンドが、止め位置の調節が可能なように、かつ解けないように連結されるバックルと、を備えることを特徴とする、テント天頂部の空間拡張装置が提供される。
【０００７】
このように本願発明のテント天頂部の空間拡張装置においては、テントの天頂部の内側生地に伸縮生地部を設け、天頂部の空間だけに設置される支持棒で伸縮生地部を天頂方向に押し上げることができるので、従来のようにテント内部の中央に天頂部を突き上げるための長いポールを立てる必要がなく、天頂部に雨が溜まったり、雪が積もったりするのを防止するとともに、テント内部の空間を有効に使用することができる。また、テント内部の空間を天頂方向に拡張することによって、テント内で感じる圧迫感を減らして快適なテント内の生活ができ、さらに、テントの天頂部を新しく独特な形態に変形することによって他社製品と差別化し、製品の競争力を高めることもできる。
【発明の効果】
【０００８】
以上詳述したように本発明によれば、テントの天頂部の空間だけに空間拡張装置が設置されて天頂部を押し上げることができるので、雨天時にテントの天頂部に水が溜まることを防止したり、雪が積もってテントが崩壊したりすることがなく、安全なテント構造を提供することができるとともに、テント内部の空間を上方に拡張させることができるので、テント内で感じる圧迫感がなく、テント内の生活を快適なものにすることができる。
【発明を実施するための最良の形態】
【０００９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１０】
図１は、本発明の実施の形態によるテント天頂部の空間拡張装置をテントに使用した状態の斜視図である。また、図２はテント天頂部の空間拡張装置をテント内部から見た説明図であり、図３はテント天頂部の空間拡張装置とテントとの結合状態を断面で示した説明図である。
【００１１】
テントは外側生地１０１と内側生地１０２とからなっている。このようなテントにおいて、本発明の実施の形態によるテント天頂部の空間拡張装置は、所定のサイズに切り取られて分離された内側生地１０２の天頂部１０３に縫着される伸縮生地部１０４と、伸縮生地部１０４の中央に縫着される支持環１０５と、伸縮生地部１０４を中心とした両側の内側生地１０２に一端が各々縫着され、それぞれアイレット１２２、１３２を有する固定バンド１２１及び調節バンド１３１と、中央部が所定の角度に折り曲げられて弾性力を有しており、テントの天頂部１０３を押し上げることができるように中央部は支持環１０５に挿入され、両端部は挿入管１１２を介して固定バンド１２１及び調節バンド１３１のそれぞれのアイレット１２２、１３２に嵌合される支持棒１１１と、一端には固定バンド１２１の内側生地１０２に縫着されていない他端が固定され、他端には調節バンド１３１が、止め位置の調節が可能であって、かつ解けないように連結されるバックル１４１と、を備えることを特徴としている。
【００１２】
本発明の実施の形態によるテント天頂部の空間拡張装置が使用されたテントは、中央の天頂部１０３が他の天頂部より高く押し上げられているので、雨水や雪がテントの側面に沿って全て下方に流れ、天頂部に雨水が溜まったり雪が積もったりすることはない。また、テントは外側生地１０１に縫着された複数の環に挿入される支持棒によって所定の形態を維持することができる。
【００１３】
本発明の実施の形態によるテント天頂部の空間拡張装置は、図２及び図３に示すように、テントの天頂部を上方に押し上げるために、内側生地１０２の天頂部１０３を所定のサイズに切り取って分離した後、切り取った部位に伸縮生地部１０４が縫着される。伸縮生地部１０４は、後述する支持棒１１１の弾力によって伸ばされて上方に拡張されなければならないので、伸縮性素材の生地で作ることが好ましい。一方、伸縮生地部１０４の形状は特に制限されるものではなく、例えば、円形、楕円形、長方形など、テントのサイズや形状によって適切な形態を有することが好ましい。本発明の実施の形態では、長方形の形状を有する伸縮生地部１０４を例示している。
【００１４】
そして、伸縮生地部１０４には支持環１０５が縫着されている。支持環１０５には支持棒１１１が挿入され、支持棒１１１の中央部に支持環１０５が位置するようにする。また、伸縮生地部１０４が拡張される時に、支持棒１１１によってテントの天頂部が押し上げられるようにするために、支持環１０５は伸縮生地部１０４の略中央に縫着されることが好ましい。
【００１５】
さらに、内側生地１０２の天頂部１０３には、伸縮生地部１０４を中心とした両側に、固定バンド１２１及び調節バンド１３１が縫着されている。天頂部１０３の拡張範囲を広めるために、支持棒１１１は長方形状の伸縮生地部１０４の長手方向に沿って配置することが好ましい。したがって、固定バンド１２１及び調節バンド１３１は、伸縮生地部１０４の両端から所定の間隔をおいて離間した地点の内側生地１０２に縫着されることが好ましい。また、支持棒１１１による伸縮生地部１０４の拡張が円滑になされるように、固定バンド１２１及び調節バンド１３１の内側生地１０２に縫着された端部は、支持環１０５と同一直線上に位置するように、縫着されることが好ましい。
【００１６】
固定バンド１２１の上部（天頂方向端部）は、伸縮生地部１０４の一端（図２の左側の短手側端）から所定の間隔をおいてテントの内側生地１０２に縫着される一方、自由端である下部（他端）は、内側生地１０２には固定されずに自由に垂れ下がっており、後述するバックル１４１の一端に固定される。固定バンド１２１の中間部には、支持棒１１１の一端を嵌合するためのアイレット１２２が形成されている。
【００１７】
同様に、調節バンド１３１の上部（天頂方向端部）は、伸縮生地部１０４の一端(図２の右側の短手側端)から所定の間隔をおいてテントの内側生地１０２に縫着される一方、自由端である下部は内側生地１０２に固定されずに垂れ下がっており、後述するバックル１４１の他端に連結される。調節バンド１２１にも支持棒１１１の他端を嵌合するためのアイレット１３２が形成されている。
【００１８】
支持棒１１１の両端は、各々挿入管１１２を介して固定バンド１２１及び調節バンド１３１の、アイレット１２２、１３２にそれぞれ嵌合される。即ち、支持棒１１１の両端は、挿入管１１２によってアイレット１２２、１３２内に嵌合された状態で維持できる。
【００１９】
次に、バックル１４１について説明する。バックル１４１の一端には固定バンド１２１の内側生地１０２に縫着されていない他端が固定され、他端には調節バンド１３１が、止め位置の調節が可能なように、かつ解けないように連結される。つまり、バックル１４１とアイレット１３２との間の調節バンド１３１の長さの調節が可能となるように連結される。この時、調節バンド１３１は、解けないように、解け防止式（長さを調節した後、調節バンド１３１はその位置で止まって維持できる方式）でバックル１４１に連結されている。
【００２０】
したがって、調節バンド１３１の先端を握って図３の右側方向に引くと、調節バンド１３１のバックル１４１とアイレット１３２との間の長さが縮みながら、支持棒１１１の両端間の間隔が減少する。それと同時に支持棒１１１の中央部が上方（天頂方向）に突出して、テントの天頂部が押し上げられるようになる。一方、調節バンド１３１から手を離すと、解け防止式の調節バンド１３１によって、バックル１４１から調節バンド１３１の一端がすべらず解けないで連結された状態を維持する。したがって、支持棒１１１の突出状態をそのまま維持できるようになる。
【００２１】
テントの使用時に調節バンド１３１の一端を図３の右側方向に引くと、調節バンド１３１のバックル１４１とアイレット１３２との間の長さが縮みながら支持棒１１１の両端間の間隔が減少すると同時に、支持棒１１１の中央部が上方に押し上げられながら伸縮生地部１０４を外側に押圧する。支持棒１１１の押圧により伸縮生地部１０４が外側に膨脹しながら上方に伸ばされて、伸縮生地部１０４と接触している外側生地１０１も図３に示すように上方に押し上げられるようになる。調節バンド１３１の先端をさらに引いて支持棒１１１の中央部を図３よりも上方に突出させた状態を示した説明図が図４である。
【００２２】
この時、テントが設置された地域の天気及び地形により、バックル１４１に止める調節バンド１３１の位置を変えて支持棒１１１の押圧程度を調節することによって、伸縮生地部１０４の突出高さを適切に調節できる。即ち、調節バンド１３１をより一層図３の右側に引くと、支持棒１１１はより一層弾性変形して中央部が上方に突出しながら、より一層、伸縮生地部１０４を上方に押し上げる。その結果、テントの天頂部の高さは図３に示す状態から図４に示す状態になってより一層高くなる。こうして、調節バンド１３１による支持棒１１１の弾力的な変形によって、テントの天頂部１０３の突出高さを適切に調節することが可能となる。
【００２３】
また、例えば、雪や雨が少ししか降らない地域でテントを使用する場合は、天頂部１０３の高さを少しだけ高くし、雪や雨が多く降る地域では、支持棒１１１の高さを最大限に高くして、天頂部１０３に雪が積もったり雨水が溜まったりするのを防止することができる。
【００２４】
一方、支持棒１１１の中間部を支持している支持環１０５は、常に定位置を維持するように伸縮生地部１０４に縫着されている。したがって、支持棒１１１は支持環１０５によって定位置での弾力的な変形が可能であるので、伸縮生地部１０４及びテントの天頂部１０３の突出形態を常に一定に維持することができる。
【００２５】
次に、図５は本実施の形態によるテント天頂部の空間拡張装置を側面方向（図３のテント天頂部の空間拡張装置を水平に９０度回転させた方向）から見た断面図である。支持棒１１１の両端は挿入管１１２を介して固定バンド１２１及び調節バンド１３１のアイレット１２２、１３２に嵌合されており、支持棒１１１は中央部が支持環１０５に挿入されている。この時、伸縮生地部１０４は、支持棒１１１の上側（天頂部側）の外周面によって上方に突出した状態を維持できる。したがって、支持棒１１１は固定バンド１２１及び調節バンド１３１のアイレット１２２、１３２と、支持環１０５とによって、伸縮生地部１０４の突出した状態を安定して維持しながら確実に支持することができる。
【００２６】
このように、本実施の形態によるテント天頂部の空間拡張装置の支持棒１１１は、従来のテントの内部に立てる長いポールに比べて、長さが非常に短くて重さも軽量であるので、容易に携帯できる長所がある。また、テント内の天頂部１０３に隣接して箇所に本実施の形態による空間拡張装置が設けられるので、テント内の生活に何らの制約なく平常時と同一の生活をすることができる。また、拡張した天頂部１０３により圧迫感が減少し、広い空間により円滑な空気循環が可能であるので、テント内で快適に生活できる。
【００２７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００２８】
本発明は、外側生地と内側生地とからなるテントに使用されるテント天頂部の空間拡張装置に適用可能である。
【図面の簡単な説明】
【００２９】
【図１】本発明の実施の形態によるテント天頂部の空間拡張装置により天頂部が拡張された状態を示すテントの斜視図である。
【図２】本発明の実施の形態によるテント天頂部の空間拡張装置の構成をテント内部から見た説明図である。
【図３】本発明の実施の形態によるテント天頂部の空間拡張装置の結合状態を断面で示した説明図である。
【図４】本発明の実施の形態によるテント天頂部の空間拡張装置において、調節バンドを引いた時の使用状態を断面で示した説明図である。
【図５】本発明の実施の形態によるテント天頂部の空間拡張装置を側面方向から見た断面図である。
【符号の説明】
【００３０】
１０１      外側生地
１０２      内側生地
１０３      天頂部
１０４      伸縮生地部
１０５      支持環
１１１      支持棒
１１２      挿入管
１２１      固定バンド
１２２      アイレット
１３１      調節バンド
１３２      アイレット
１４１      バックル
【図１】
0004630353.tif 000002
【図２】
0004630353.tif 000003
【図３】
0004630353.tif 000004
【図４】
0004630353.tif 000005
【図５】
0004630353.tif 000006